(57)【要約】【課題】  紙幣の状態によらず詰まり等を生じることなく紙幣を紙幣払出部に集積できるようにした紙幣処理装置を提供する。【解決手段】  紙幣払出部５は、集積した紙幣を一括して紙幣払出口９より払い出す一括保留部４１を備え、この一括保留部４１の上部には集積ガイドプレート１０６が略水平に配置されている。集積ガイドプレート１０６は、払い出し搬送路１３に対向する一端に膨出面１０６ａが形成されており、他端はガイド板１０５に軸１０６ｂで軸支されている。払い出し搬送路１３からの紙幣は、膨出面１０６ａに沿って移動し、膨出面１０６ａに接する紙幣は一部であるため、紙幣に２つ折りや４つ折り等の折り目が付いていても、詰まりを生じることなく集積される。【選択図】        図１
2006092442.tif 000002
【特許請求の範囲】
【請求項１】
紙幣収納部から１枚ずつ紙幣を紙幣払出部に搬入して集積した後、前記集積した紙幣を一括して紙幣払出口より払い出す紙幣払出部を備えた紙幣処理装置において、
前記紙幣払出部は、払出搬送路側に対向する位置に膨出面を有し、紙幣搬送方向の後端が軸支された集積ガイドプレートを備えたことを特徴とする紙幣処理装置。
【請求項２】
前記集積ガイドプレートは、導電性の材料を用いたことを特徴とする請求項１記載の紙幣処理装置。
【請求項３】
前記集積ガイドプレートは、紙幣搬送方向の先端が前記紙幣払出部に搬入されてくる紙幣との当接状態に応じて昇降するように取り付けられていることを特徴とする請求項１記載の紙幣処理装置。
【請求項４】
前記集積ガイドプレートは、払い出し処理のミス時にリジェクトを行うリジェクトプレートにガイド板を介して取り付けられていることを特徴とする請求項１記載の紙幣処理装置。
【請求項５】
前記集積ガイドプレートは、前記リジェクトプレートに格納可能に取り付けられていることを特徴とする請求項４載の紙幣処理装置。
【請求項６】
前記集積ガイドプレートは、前記集積した紙幣の略中央に配設されていることを特徴とする請求項１記載の紙幣処理装置。
【発明の詳細な説明】
【技術分野】
【０００１】
本発明は、複数の紙幣を一括して払い出す紙幣処理装置に関し、特に、紙幣の状態によらず詰まり等を生じることなく紙幣を紙幣払出部に集積できるようにした紙幣処理装置に関する。
【背景技術】
【０００２】
紙幣両替機、紙幣払出機、現金自動支払い機等の紙幣処理装置では、複数枚の紙幣を一括して機内から払い出す紙幣払出部を備えている。紙幣を一括して払い出す場合、紙幣を長手方向から払い出す縦払い出し方式と、横位置で払い出す横払い出し方式がある。省スペース的には横幅をとらない縦払出し方式が有利であるが、この方式は高速化や払出し性能の向上が難しい。特に、高速化を図ろうとすると、既に保留済みの紙幣と次に搬入された紙幣とが接触しやすく、紙幣払出部内で詰まり易い傾向があった。
【０００３】
一括保留部で紙幣詰りを発生させないために、一般に、連続的に搬送されてくる紙幣を空中に投げ出し、下方に強制的に押し付けて集積する機構が、紙幣処理装置に設けられている。このような機構を備えた紙幣処理装置の一例を、図面を示して以下に説明する。
【０００４】
図３は、紙幣払出部を備えた紙幣処理装置の構成を示す。紙幣処理装置１は、キャビネット２と、高額紙幣を収納する高額紙幣収納部３と、紙幣Ａの金額等を識別する紙幣識別部４と、両替用などの紙幣Ａを所定枚数揃えて一括して払い出す紙幣払出部５と、低額紙幣を収納する低額紙幣収納部６と、紙幣識別部４の前部に設けられて紙幣Ａを受け入れる紙幣投入口８と、紙幣払出部５の前部に設けられて紙幣Ａを払い出す紙幣払出口９と、紙幣投入口８から受け入れた紙幣Ａを搬送する受入搬送路１０と、受入搬送路１０の下流端から分岐して高額紙幣収納部３に連なる高額紙幣搬送路１１と、低額紙幣収納部６に連なる低額紙幣搬送路１２と、低額紙幣搬送路１２から分岐して紙幣払出部５に連なる払出搬送路１３と、高額紙幣搬送路１１と低額紙幣搬送路１２との分岐部に設けられた第１のゲート１４と、低額紙幣搬送路１２と払出搬送路１３との分岐部に設けられた第２のゲート１５とを備える。
【０００５】
高額紙幣収納部３は、高額紙幣搬送路１１の下流端に連なる待機通路２１と、待機通路２１を挟むように設けた紙幣送り込み装置２２と、紙幣送り込み装置２２を挟むように設けた上側の五千円金庫２３および下側の一万円金庫２４とを備えている。紙幣送り込み装置２２は、高額紙幣スタック板２５を有する。
【０００６】
高額紙幣収納部３は、さらに、紙幣送り込み装置２２を作動させる高額紙幣スタックモータ２６と、高額紙幣搬送路１１の途中に配置されたローラ１１ａなどのほか、紙幣識別部４の搬送装置（図示せず）を作動させる上部搬送モータ２７と、待機通路２１への紙幣Ａの送り込み完了を検出する第１の通過センサ２８と、高額紙幣スタック板２５が上限位置および下限位置にあるか否かを検出する第１および第２の位置センサ２９，３０と、五千円金庫２３および一万円金庫２４の前面に位置する上ドア（図示せず）に設けられ、上ドアの開放を検出したときに紙幣処理装置１の作動を停止させる第１のスイッチ３１とを備えている。
【０００７】
紙幣識別部４は、紙幣投入口８から受け入れた紙幣Ａの真偽、正損および金種を識別する識別機構（図示省略）と、受け入れた紙幣Ａを受入搬送路１０の待機位置まで搬送した後、識別機構の識別結果を待って、後方への搬送や返却のための逆搬送を行う搬送機構（図示省略）とを備えている。紙幣識別部４は、更に、紙幣投入口８からの紙幣Ａの受け入れ完了を検出する第２の通過センサ３５を備える。
【０００８】
紙幣払出部５は、紙幣払出装置１６のほか、紙幣Ａを揃える際、紙幣Ａが重なって送られたときに、これを払い出すことなく保留するリジェクト装置１７を備え、リジェクトスタック板４５が待機位置にあるか否かを検出する上限センサ５２と、リジェクトスタック板４５がリジェクト位置にあるか否かを検出する下限センサ５３と、リジェクト保留部４２内に紙幣Ａが保留されているか否かを検出する第２のスイッチ５４とを有する。これらの構成の詳細については、後述する。
【０００９】
紙幣払出装置１６は、払出搬送路１３の下流側に配置され、下側の待機位置（図３の実線位置）と上側の払出位置（２点鎖線位置）との間で昇降自在に設けられたガイド板４４と、ガイド板４４の上方に配置された払出搬送ベルト４３とを備え、これらの間に一括保留部４１が画成されている。一括保留部４１は、入口側が払出搬送路１３に連なり、出口側が紙幣払出口９に連なっている。
【００１０】
ガイド板４４は、左右一対から成り（手前側の１つのみ図示）、下側の待機位置（実線位置）と上側の払出位置（２点鎖線位置）の間で昇降するように構成されている。払出搬送ベルト４３もガイド板４４に対応して左右一対で構成されている（手前側の１つのみ図示）。そして、ガイド板４４が待機位置に下降している状態で、紙幣Ａが払出搬送路１３から１枚ずつ一括保留部４１に送り込まれ、ガイド板４４上に所定枚数積み重ねられた後、ガイド板４４が払出位置に上昇して紙幣Ａを払出搬送ベルト４３との間に挟み込み、その後、払出搬送ベルト４３が作動することにより、紙幣Ａが紙幣払出口９から一括して払い出される。
【００１１】
また、ガイド板４４の近傍には、紙幣Ａの一括保留部４１への送り込みの完了を検出するとともに枚数をカウントする第３の通過センサ４７と、紙幣Ａの一括払出しの完了を検出する第４の通過センサ４８と、払出搬送ベルト４３の走行停止位置を検出する第５の位置センサ４９と、ガイド板４４が払出位置および待機位置にあるか否かを検出する第６，第７の位置センサ５０、５１とが設置されている。
【００１２】
一方、リジェクト装置１７は、ガイド板４４の下側に確保されたリジェクト保留部４２と、上側の待機位置（実線位置）と下側のリジェクト位置（２点鎖線位置）の間で昇降自在のリジェクトスタック板４５とを備えている。このリジェクト装置１７は、紙幣Ａが重なって一括保留部４１に送られた場合などに、ガイド板４４が上昇した後、リジェクトスタック板４５が下降することによって、紙幣Ａを一対のガイド板４４間をすり抜けさせ、一括保留部４１からリジェクト保留部４２に送り込んで紙幣Ａを保留するように構成されている。
【００１３】
低額紙幣収納部６は、紙幣識別部４から搬送されてきた千円札を収納するとともに、収納した千円札を一括払出装置１６に送り出す機構を備える。低額紙幣収納部６は、出入口の近傍に分離ローラ６１ａが設けられた千円金庫６１と、低額紙幣搬送路１２から送り込まれた紙幣Ａを千円金庫６１内に送り込む送込みスタック板（図示省略）と、千円金庫６１内の紙幣Ａを押圧する低額紙幣スタック板６２と、千円金庫６１から紙幣Ａを紙幣払出部５に送り出す低額紙幣搬送ベルト６３と、分離爪６４と、低額紙幣搬送ベルト６３を駆動する下部搬送モータ６６と、低額紙幣スタック板６２および送込みスタック板を昇降させる低額紙幣スタックモータ６７と、紙幣Ａの千円金庫６１への搬入完了および送出し完了を検出して、低額紙幣搬送ベルト６３を起動・停止させる第５の通過センサ６８と、低額紙幣スタック板６２が上限位置および下限位置にあるか否かを検出する第１０および第１１の位置センサ６９，７０と、下部搬送モータ６６の回転角度を検出する第１２の位置センサ７１と、千円金庫６１の満杯およびエンプティを検出する第１３および第１４の位置センサ７２，７３と、千円金庫６１の前面に位置する下ドア（図示せず）に設けられ、下ドアの開放を検出したときに、紙幣処理装置１の作動を停止させる第３のスイッチ７４とを備えている。
【００１４】
図４および図５は、従来の紙幣払出部５におけるリジェクト装置１７の詳細構成を示す側面図である。図４は待機時を示し、図５はリジェクト動作時を示す。なお、この構成は、特許文献１の図１および図２に示されているものである。この紙幣払出部５は、中央の連結部８５で互いに回動自在に連結されたパンタグラフ状の第１および第２のリンクレバー８６ａ，８６ｂを備えた駆動機構８４と、リンクレバー８６ａ，８６ｂと、連結部８５に配置されてリンクレバー８６ａ，８６ｂを開脚する方向に附勢するねじりコイルばね８７とを備える。
【００１５】
第１のリンクレバー８６ａは、後端部がリジェクトスタック板４５に回動自在に連結されるとともに、前端部がガイド長孔８８にスライド自在かつ回動自在に係合している。また、第２のリンクレバー８６ｂは、連結部８５よりも後ろ側の部分で支点８９に回動自在に支持されており、前端部はリジェクトスタック板４５に形成されたガイド長孔９０にスライド自在かつ回動自在に係合し、後端部はプーリギヤ９２のクランクピン９２ａに、ねじりコイルばね８７で付勢された状態で上方から当接している。また、第２のリンクレバー８６ｂの後端部は、二股状に分岐しており、この分岐部の間が横長のカム溝９１になっている。
【００１６】
カム溝９１には、プーリギヤ９２（回転体）のクランクピン９２ａが係合している。クランクピン９２ａは、その径がカム溝９１の幅よりも若干小さく、それにより、カム溝９１に若干の遊びをもって係合しているとともに、ねじりコイルばね８７の付勢により、カム溝９１の上縁９１ａがクランクピン９２ａに当接し、これを常時、押圧した状態になっている。また、カム溝９１の上縁９１ａには、クランクピン９２ａが下死点に至った際に当接する位置決めストッパとして機能する段部９１ｃが形成されており、これに対応して、段部９１ｃに対向する下縁９１ｂの部分が下側に逃げた形状になっている。
【００１７】
プーリギヤ９２は、中間ギヤ９３およびワンウェイ駆動機構９４などを介して払出スタックモータ８１に結合されている。プーリギヤ９２は、ワンウェイ駆動機構９４によって逆方向の回転がロックされるように構成されている。払出スタックモータ８１は、正転時にプーリギヤ９２を図の矢印Ｂ方向に回転させ、逆回転時にはガイド板４４を駆動するように配置されている。
【００１８】
次に、図３〜図５を参照し、リジェクト装置１７の動作を説明する。図４に示す待機状態では、プーリギヤ９２のクランクピン９２ａが下死点に位置し、カム溝９１の段部９１ｃに当接しており、第１，第２のリンクレバー８６ａ、８６ｂが略平行状態にあり、リジェクトスタック板４５は上側の待機位置にある。この状態で、紙幣Ａが払出搬送路１３から一括保留部４１に送り込まれる。
【００１９】
紙幣Ａが重なって送られた状態などが検出されると、ガイド板４４が上昇した後、払出スタックモータ８１が所定角度だけ正転する。これにより、ワンウェイ駆動機構９４および中間ギヤ９３などを介して、払出スタックモータ８１は、クランクピン９２ａが上死点の若干手前に位置する図４の角度位置まで、プーリギヤ９２を反時計方向（矢印Ｂ方向）に回転させる。これに伴い、第２のリンクレバー８６ｂは、カム溝９１の上縁９１ａを介してクランクピン９２ａによって押し上げられ、ねじりコイルばね８７の附勢力に抗して回動する。これにより、第１，第２のリンクレバー８６ａ、８６ｂが下方に伸び、リジェクトスタック板４５は、下側のリジェクト位置まで下降して、紙幣Ａを、ガイド板４４、４４間をすり抜けさせて、一括保留部４１からリジェクト保留部４２に送り込んで保留する。
【００２０】
その後、払出スタックモータ８１が所定角度だけ正回転することにより、プーリギヤ９２が回転し、クランクピン９２ａは上死点を越えて下死点に向かう。上死点を越えると、クランクピン９２ａは、ねじりコイルばね８７の附勢力により、第２のリンクレバー８６ｂのカム溝９１の上縁９１ａを介して下方に押されるようになる。一方、プーリギヤ９２は、この方向に回転が自由な状態にあるため、クランクピン９２ａがカム溝９１の下縁９１ｂに当接し、プーリギヤ９２が制動される。
【００２１】
そして、次のタイミングでは、プーリギヤ９２の回転により、クランクピン９２ａがカム溝９１の上縁９１ａに再び当接して、これをねじりコイルばね８７の附勢力で押すようになる。更に、プーリギヤ９２が回転することにより、クランクピン９２ａがカム溝９１の下縁９１ｂに再度当接し、プーリギヤ９２が制動される。このように、プーリギヤ９２が下死点に戻る際、クランクピン９２ａは、カム溝９１の下縁９１ｂによって繰り返し制動されるので、プーリギヤ９２は、下死点を大きくオーバーシュートすることはなく、下死点の付近に確実に停止し、リジェクトスタック板４５を待機位置付近に確実に停止させることができる。その結果、紙幣Ａは、ジャミングなどを生じることなく、一括保留部４１に円滑に集積される。
【００２２】
しかし、図４に示した紙幣払出部５は、新札の場合には問題無いが、市場に流通している紙幣Ａの多くは、古くなって紙質が柔らかくなったり、紙幣Ａに２つ折りや４つ折り等の折り目が付いてしまっている。このような紙幣Ａが紙幣払出部５に搬入された場合、リジェクトスタック板４５の下部で紙詰まり状態を発生し、紙幣Ａを正常にセットすることができなくなる。
【００２３】
図６は、従来の他のリジェクト装置の構成を示す側面図である。このリジェクト装置１７は、リジェクトスタック板４５の下部にガイド板４６を配置したものであり、他の構成は図４と同様である。リジェクトスタック板４５は、その一端がリンクレバー８６ａの自由端（紙幣搬入側端）に支点９５によって軸支され、他端は自由に回動するように取り付けられている。
【００２４】
図６において、払出搬送路１３を通して紙幣Ａが紙幣払出部５に搬入されると、紙幣Ａの先端は、ガイド板４６の支点９５の部分の下側に当接する。ガイド板４６は、紙幣払出口９側に向かって下がるように傾斜しているため、紙幣Ａはガイド板４６の下面に沿って前進した後、所定位置で停止することによりスタックされる。このリジェクト装置１７によれば、紙質が柔らかくなったり、折り目が付いたりした紙幣Ａでも、詰まりを生じさせることなく集積することができる。
【００２５】
また、リジェクト装置１７に通じる通路搬送出口の左右一対の搬送ローラに回転体を取り付け、この回転体にゴム製で板状の複数のフィンを放射状に取り付け、搬送ローラに同期させてフィンを回転させ、送り込まれた紙幣Ａをフィンによって下方に押圧しながら搬入する構成のリジェクト装置も知られている。
【特許文献１】特開平１１−２７２９０４号公報（［００３０］〜［００４０］、図１、図２）
【発明の開示】
【発明が解決しようとする課題】
【００２６】
しかし、従来の紙幣処理装置によると、ガイド板４６を設けても、折り癖が付いてしまった紙幣Ａ等が搬入された場合、紙幣Ａを折り目から折りたたむように機能してしまうため、逆に、紙詰まり等が発生し易くなるという問題がある。
【００２７】
また、ゴム製のフィンを設けた構成は、紙幣Ａによっては屈曲が生じるほか、回転しながら紙幣Ａを押えるため、磨耗や変形は避けられない。更に、環境の変化や時間経過によってゴムが硬化するため、押圧力が変化する。このため、折れ札の後端の跳ね上げを抑えきれない場合が生じる。
【００２８】
従って、本発明の目的は、紙幣の状態によらず詰まり等を生じることなく紙幣を紙幣払出部に集積できるようにした紙幣処理装置を提供することにある。
【課題を解決するための手段】
【００２９】
本発明は、上記の目的を達成するため、紙幣収納部から１枚ずつ紙幣を紙幣払出部に搬入して集積した後、前記集積した紙幣を一括して紙幣払出口より払い出す紙幣払出部を備えた紙幣処理装置において、前記紙幣払出部は、払出搬送路側に対向する位置に膨出面を有し、紙幣搬送方向の後端が軸支された集積ガイドプレートを備えたことを特徴とする紙幣処理装置を提供する。
【発明の効果】
【００３０】
本発明の紙幣処理装置によれば、膨出面を有する集積ガイドプレートに設けたことにより、折り目等が付いている紙幣であっても、詰まりを生じることなく紙幣収納部に集積することが可能になる。
【発明を実施するための最良の形態】
【００３１】
図１および図２は、本発明の実施の形態に係る紙幣処理装置の主要部の構成を示す側面図および底面図である。なお、図１および図２においては、紙幣払出部のみを示し、本実施の形態における紙幣処理装置の全体の構成は図３と同じであるので、図示は省略する。
【００３２】
（紙幣払出部の構成）
図１に示すように、紙幣払出部５は、リジェクト装置１７と、リジェクト装置１７の上部に配置されたガイド板４４と、このガイド板４４の上方に配置されるとともに集積された紙幣Ａを一括して紙幣払出口９へ押し出すための爪部４３ａ，４３ｂを備えて回転する払出搬送ベルト４３と、払出搬送路１３の出口部の上下に配置された一対の搬送ローラ１０１，１０２と、搬送ローラ１０１の端部に放射状に取り付けられたゴム製で板状の複数のフィン１０３と、リジェクト装置１７の上方に水平配置されるとともに払出しの処理ミス時にリジェクトを行うためのリジェクトプレート１０４と、このリジェクトプレート１０４の端部に一端が軸１０５ａにより軸支されて揺動するガイド板１０５と、ガイド板１０５の他端（払出側端）に軸１０６ｂによって取り付けられるとともに膨出面１０６ａを有する集積ガイドプレート１０６とを備える。
【００３３】
集積ガイドプレート１０６は、静電気の発生による紙幣同士の密着を防止するため、導電性に優れる銅、アルミニウム、真鍮、ステンレス等の金属を用いて或る程度の重量を有するように作られており、その長さは紙幣Ａを超えない長さとし、かつ、集積後の紙幣Ａの中央に位置するように配設されている。更に、集積ガイドプレート１０６は、下方からの附勢力によってリジェクトプレート１０４の内部に格納されるように取り付けられるとともに、紙幣搬入側が一定角度以下に下がらないように取り付けられている。膨出面１０６ａは、集積ガイドプレート１０６の紙幣搬入側にのみ形成されており、膨出面１０６ａが設けられていない下面の他の部分は、平坦面を成している。
【００３４】
また、集積ガイドプレート１０６は、ガイド板１０５に当接するように設けられるストッパ１０６ｃを有し、軸１０６ｂに対する回動を規制されるようになっている。
【００３５】
図２に示すように、リジェクトプレート１０４に対し、ガイド板１０５は一対が平行に設置されている。なお、リジェクトプレート１０４は、ガイド長孔８８を有する突片１０４ａを有し、ガイド長孔８８には、第１のリンクレバー８６ａの一端が係着される。
【００３６】
（紙幣払出部の動作）
１枚の紙幣Ａが払出搬送路１３の出口に到達したタイミングで搬送ローラ１０１，１０２が回転する。この回転に応じて紙幣Ａは集積ガイドプレート１０６の下部に送り込まれる。紙幣Ａの先端が、集積ガイドプレート１０６に接触すると、紙幣Ａは膨出面１０６ａに沿って下降し、ガイド板４４上に到達する。このとき、集積ガイドプレート１０６は、紙幣Ａとの当たり具合に応じて上下動する。紙幣Ａの後端が搬送ローラ１０１，１０２を抜けると、紙幣Ａはガイド板４４上に載置され、既に紙幣Ａが集積されていれば、その最上面に集積される。このとき、フィン１０３によって紙幣Ａの後端部が上方から紙幣載置面または集積済みの紙幣Ａに押しつけられる。以後、同様にして、紙幣Ａが搬入されるごとに集積ガイドプレート１０６によってガイドされ、紙幣Ａの集積が行われる。紙幣Ａの集積が完了すると、図示しない昇降機構によってガイド板４４が上昇し、そのことによって集積された紙幣Ａを払出し可能な高さレベルに配置する。次に、払出搬送ベルト４３が時計方向に回転し、これに伴って回転する爪部４３ａ，４３ｂによって集積された紙幣Ａの後端が一括して押し出され、紙幣払出口９に払い出される。
【００３７】
一方、２つ折りや４つ折り等の折り目が、紙幣Ａに強く残っていた場合、搬送ローラ１０１，１０２を通り抜けると同時に、紙幣Ａは折り目に従ってジグザグ形に変形しようとする。しかし、集積ガイドプレート１０６の膨出面１０６ａは、曲面を有するため、紙幣Ａは、折り目が付いたまま膨出面１０６ａに沿って下降する。このとき、膨出面１０６ａは、紙幣Ａのジグザグ形状を伸ばすように機能する。また、紙幣Ａに折り目があっても、紙面の一部のみが膨出面１０６ａに接触する状態で移動するため、腰が折れにくくなり、折り目に沿って折り畳まれることがない。この結果、一括保留部４１における紙幣Ａの詰まりは、生じにくくなる。
【００３８】
（実施の形態の効果）
この実施の形態によれば、下記の効果を奏する。
（１）膨出面１０６ａを有する集積ガイドプレート１０６を設けたことにより、２つ折りや４つ折り等の折り目を有する紙幣Ａが搬入されても、紙幣Ａの詰まりを生じることなく、一括保留部４１上に集積することができる。
（２）払出紙幣は、集積ガイドプレート１０６の支点１０６ｂに向うため、紙幣Ａに折り目の強さに応じて自重とのバランスを取りながら紙幣後端を確実に押さえつけることができる。
（３）集積ガイドプレート１０６は、リジェクトプレート１０４内に格納できるため、リジェクト時のスタック動作を阻害することがなく、一括払い出し時にも、紙幣Ａに影響を及ぼすことがない。このため、紙幣搬入を高速化しても、紙幣Ａの詰まりを防止することができる。
（４）集積ガイドプレート１０６は、導電性に優れる金属を用いて作られているため、静電気の発生による紙幣Ａ同士の密着を防止することができる。
【００３９】
［他の実施の形態］
なお、本発明は、上記実施の形態に限定されず、その要旨を変更しない範囲内で種々の変形が可能である。
【図面の簡単な説明】
【００４０】
【図１】本発明の実施の形態に係る紙幣処理装置の主要部の構成を示す側面図である。
【図２】図１の紙幣処理装置の底面図である。
【図３】紙幣払出装置を備えた紙幣処理装置の構成を示す側面断面図である。
【図４】従来のリジェクト装置の待機時の詳細構成を示す側面図である。
【図５】図４のリジェクト装置のリジェクト動作時の詳細構成を示す側面図である。
【図６】従来の他のリジェクト装置の構成を示す側面図である。
【符号の説明】
【００４１】
１…紙幣処理装置、２…キャビネット、３…高額紙幣収納部、４…紙幣識別部、５…紙幣払出部、６…低額紙幣収納部、８…紙幣投入口、９…紙幣払出口、１０…受入搬送路、１１…高額紙幣搬送路、１１ａ…ローラ、１２…低額紙幣搬送路、１３…払い出し搬送路、１４…第１のゲート、１５…第２のゲート、１６…紙幣払出装置、１７…リジェクト装置、２１…待機通路、２２…紙幣送り込み装置、２３…五千円金庫、２４…一万円金庫、２５…高額紙幣スタック板、２６…高額紙幣スタックモータ、２７…上部搬送モータ、２８…第１の通過センサ、２９…第１の位置センサ、３０…第２の位置センサ、３１…第１のスイッチ、３５…第２の通過センサ、４１…一括保留部、４２…リジェクト保留部、４３…払出搬送ベルト、４３ａ，４３ｂ…爪部、４４，４６…ガイド板、４５…リジェクトスタック板、４７…第３の通過センサ、４８…第４の通過センサ、４９…第５の位置センサ、５０…第６の位置センサ、５２…上限センサ、５３…下限センサ、５４…第２のスイッチ、６１…千円金庫、６１ａ…分離ローラ、６２…低額紙幣スタック板、６３…低額紙幣搬送ベルト、６４…分離爪、６６…下部搬送モータ、６７…低額紙幣スタックモータ、６８…第５の通過センサ、６９…第１０の位置センサ、７０，第１１の位置センサ、７１…第１２の位置センサ、７２…第１３の位置センサ、７３…第１４の位置センサ、７４…第３のスイッチ、８１…払出スタックモータ、８４…駆動機構、８５…連結部、８６ａ…第１のリンクレバー、８６ｂ…８７…ねじりコイルばね、第２のリンクレバー、８８…ガイド長孔、８９…支点、９０…ガイド長孔、９１…カム溝、９１ａ…上縁、９１ｂ…下縁、９１ｃ…段部、９２…プーリギヤ、９２ａ…クランクピン、９３…中間ギヤ、９４…ワンウェイ駆動機構、９５…支点、１０１，１０２…搬送ローラ、１０３…フィン、１０４…リジェクトプレート、１０４ａ…突片、１０５…ガイド板、１０５ａ，１０６ｂ…軸、１０６…集積ガイドプレート、１０６ａ…膨出面、１０６ｂ…ストッパ
【図１】
2006092442.tif 000003
【図２】
2006092442.tif 000004
【図３】
2006092442.tif 000005
【図４】
2006092442.tif 000006
【図５】
2006092442.tif 000007
【図６】
2006092442.tif 000008